(57)【要約】【課題】印刷装置に係る印刷ログを管理する情報管理装置に関して、印刷ログの解析処理の負担を軽減すること。【解決手段】印刷装置が実行した印刷又は／及び印刷装置のクライアント装置が印刷装置に要求した印刷の印刷ログを管理する情報管理装置であって、複数の前記印刷ログを併合した併合印刷ログを生成する併合印刷ログ生成手段と、前記併合印刷ログを管理する併合印刷ログ管理手段とを備えることを特徴とする情報管理装置。【選択図】    図１
2005038106.tif 000002
【特許請求の範囲】
【請求項１】
印刷装置が実行した印刷又は／及び印刷装置のクライアント装置が印刷装置に要求した印刷の印刷ログを管理する情報管理装置であって、
複数の前記印刷ログを併合した併合印刷ログを生成する併合印刷ログ生成手段と、前記併合印刷ログを管理する併合印刷ログ管理手段とを備えることを特徴とする情報管理装置。
【請求項２】
前記併合印刷ログ生成手段は、印刷量を保持する前記印刷ログにつき、複数の印刷ログを併合して、これら複数の印刷ログの印刷量の総和を保持する併合印刷ログを生成することを特徴とする請求項１に記載の情報管理装置。
【請求項３】
前記併合印刷ログ生成手段は、印刷量と印刷条件とを保持する前記印刷ログにつき、共通する印刷条件を保持する複数の印刷ログを併合して、これら複数の印刷ログの印刷量の総和とこれら複数の印刷ログと共通する印刷条件とを保持する併合印刷ログを生成することを特徴とする請求項１又は２に記載の情報管理装置。
【請求項４】
前記併合印刷ログを利用し、前記印刷装置の利用状況に係る情報である利用状況情報を生成する利用状況情報生成手段と、前記利用状況情報を出力する利用状況情報出力手段とを備えることを特徴とする請求項１乃至３のいずれか１項に記載の情報管理装置。
【請求項５】
前記併合印刷ログを利用し、前記印刷装置の利用に伴う課金に係る情報である課金情報を生成する課金情報生成手段と、前記課金情報を出力する課金情報出力手段とを備えることを特徴とする請求項１乃至４のいずれか１項に記載の情報管理装置。
【請求項６】
印刷装置が実行した印刷又は／及び印刷装置のクライアント装置が印刷装置に要求した印刷の印刷ログを管理する情報管理方法であって、
複数の前記印刷ログを併合した併合印刷ログを生成する併合印刷ログ生成段階と、前記併合印刷ログを管理する併合印刷ログ管理段階とを備えることを特徴とする情報管理方法。
【請求項７】
前記併合印刷ログ生成段階は、印刷量を保持する前記印刷ログにつき、複数の印刷ログを併合して、これら複数の印刷ログの印刷量の総和を保持する併合印刷ログを生成することを特徴とする請求項６に記載の情報管理方法。
【請求項８】
前記併合印刷ログ生成段階は、印刷量と印刷条件とを保持する前記印刷ログにつき、共通する印刷条件を保持する複数の印刷ログを併合して、これら複数の印刷ログの印刷量の総和とこれら複数の印刷ログと共通する印刷条件とを保持する併合印刷ログを生成することを特徴とする請求項６又は７に記載の情報管理方法。
【請求項９】
前記併合印刷ログを利用し、前記印刷装置の利用状況に係る情報である利用状況情報を生成する利用状況情報生成段階と、前記利用状況情報を出力する利用状況情報出力段階とを備えることを特徴とする請求項６乃至８のいずれか１項に記載の情報管理方法。
【請求項１０】
前記併合印刷ログを利用し、前記印刷装置の利用に伴う課金に係る情報である課金情報を生成する課金情報生成段階と、前記課金情報を出力する課金情報出力段階とを備えることを特徴とする請求項６乃至９のいずれか１項に記載の情報管理方法。
【請求項１１】
請求項６乃至１０のいずれか１項に記載の情報管理方法をコンピュータに実行させる情報管理プログラム。
【請求項１２】
請求項６乃至１０のいずれか１項に記載の情報管理方法をコンピュータに実行させる情報管理プログラムが記録された記録媒体。
【発明の詳細な説明】
【０００１】
【発明の属する技術分野】
本発明は、プリンタ、コピー、ファクシミリ、複合機、融合機等の印刷装置に係る印刷ログを管理するサーバコンピュータ、パーソナルコンピュータ等の情報管理装置、情報管理方法、情報管理プログラム、及び記録媒体に関する。
【０００２】
【従来の技術】
プリンタ、コピー、ファクシミリ、複合機、融合機等の印刷機器に係る印刷ログを管理する手法としては、印刷機器で印刷ログを管理する手法、印刷機器のプリンタ機能に係るプリントサーバで印刷ログを管理する手法に加えて、印刷ログ管理用サーバで印刷ログを管理する手法が挙げられる。印刷ログ管理用サーバが利用される背景には、プリントサーバが不要のネットワークプリンタの普及や、印刷機器やそのクライアントＰＣで構成される印刷システムの大型化に伴い増大した、印刷ログの集中管理の必要性等の存在がある。これらの印刷ログは、印刷機器の利用に伴う課金金額の計算等に利用される。
【０００３】
【特許文献１】
特開平１１−２０５４９８号公報
【０００４】
【特許文献２】
特開平１１−２４２５７６号公報
【０００５】
【発明が解決しようとする課題】
しかし、上記のような印刷ログ管理用サーバで印刷ログを管理する場合、印刷システムが大型化すると、印刷ログの総量が増大してしまって、印刷ログの解析処理に膨大な時間がかかってしまうという欠点がある。
【０００６】
したがって、本発明は、印刷装置に係る印刷ログを管理する情報管理装置等に関して、印刷ログの解析処理の負担を軽減することを課題とする。
【０００７】
【課題を解決するための手段】
請求項１に記載の発明（情報管理装置）は、印刷装置が実行した印刷又は／及び印刷装置のクライアント装置が印刷装置に要求した印刷の印刷ログを管理する情報管理装置であって、複数の前記印刷ログを併合した併合印刷ログを生成する併合印刷ログ生成手段と、前記併合印刷ログを管理する併合印刷ログ管理手段とを備える。
【０００８】
請求項２に記載の発明（情報管理装置）は、請求項１に記載の発明（情報管理装置）に関して、前記併合印刷ログ生成手段は、複数の印刷ログを併合して、これら複数の印刷ログの印刷量の総和を保持する併合印刷ログを生成する。
【０００９】
請求項３に記載の発明（情報管理装置）は、請求項１又は２に記載の発明（情報管理装置）に関して、前記併合印刷ログ生成手段は、印刷量と印刷条件とを保持する前記印刷ログにつき、共通する印刷条件を保持する複数の印刷ログを併合して、これら複数の印刷ログの印刷量の総和とこれら複数の印刷ログと共通する印刷条件とを保持する併合印刷ログを生成する。
【００１０】
請求項４に記載の発明（情報管理装置）は、請求項１乃至３のいずれか１項に記載の発明（情報管理装置）に関して、前記併合印刷ログを利用し、前記印刷装置の利用状況に係る情報である利用状況情報を生成する利用状況情報生成手段と、前記利用状況情報を出力する利用状況情報出力手段とを備える。
【００１１】
請求項５に記載の発明（情報管理装置）は、請求項１乃至４のいずれか１項に記載の発明（情報管理装置）に関して、前記併合印刷ログを利用し、前記印刷装置の利用に伴う課金に係る情報である課金情報を生成する課金情報生成手段と、前記課金情報を出力する課金情報出力手段とを備える。
【００１２】
請求項６に記載の発明（情報管理方法）は、印刷装置が実行した印刷又は／及び印刷装置のクライアント装置が印刷装置に要求した印刷の印刷ログを管理する情報管理方法であって、複数の前記印刷ログを併合した併合印刷ログを生成する併合印刷ログ生成段階と、前記併合印刷ログを管理する併合印刷ログ管理段階とを備える。
【００１３】
請求項７に記載の発明（情報管理方法）は、請求項６に記載の発明（情報管理方法）に関して、前記併合印刷ログ生成段階は、印刷量を保持する前記印刷ログにつき、複数の印刷ログを併合して、これら複数の印刷ログの印刷量の総和を保持する併合印刷ログを生成する。
【００１４】
請求項８に記載の発明（情報管理方法）は、請求項６又は７に記載の発明（情報管理方法）に関して、前記併合印刷ログ生成段階は、印刷量と印刷条件とを保持する前記印刷ログにつき、共通する印刷条件を保持する複数の印刷ログを併合して、これら複数の印刷ログの印刷量の総和とこれら複数の印刷ログと共通する印刷条件とを保持する併合印刷ログを生成する。
【００１５】
請求項９に記載の発明（情報管理方法）は、請求項６乃至８のいずれか１項に記載の発明（情報管理方法）に関して、前記併合印刷ログを利用し、前記印刷装置の利用状況に係る情報である利用状況情報を生成する利用状況情報生成段階と、前記利用状況情報を出力する利用状況情報出力段階とを備える。
【００１６】
請求項１０に記載の発明（情報管理方法）は、請求項６乃至９のいずれか１項に記載の発明（情報管理方法）に関して、前記併合印刷ログを利用し、前記印刷装置の利用に伴う課金に係る情報である課金情報を生成する課金情報生成段階と、前記課金情報を出力する課金情報出力段階とを備える。
【００１７】
請求項１１に記載の発明（情報管理プログラム）は、請求項６乃至１０のいずれか１項に記載の情報管理方法をコンピュータに実行させる情報管理プログラムである。
【００１８】
請求項１２に記載の発明（記録媒体）は、請求項６乃至１０のいずれか１項に記載の情報管理方法をコンピュータに実行させる情報管理プログラムが記録された記録媒体である。
【００１９】
【発明の実施の形態】
本発明の実施の形態の例について説明する。
【００２０】
図１は、本発明に係る大規模印刷システム１０１を表す。図１の大規模印刷システム１０１は、複数のネットワーク１１１（添字１〜Ｌは区別の便宜上使用）により構成される。各ネットワーク１１１には、印刷機器１２１（添字１〜Ｍは区別の便宜上使用）やそのクライアントＰＣ（パーソナルコンピュータ）１２２（添字１〜Ｎは区別の便宜上使用）が接続されている。さらに、各ネットワーク１１１には、中継用サーバ１２３が接続されており、各中継用サーバ１２３は、印刷ログ管理用サーバ１２４に電話回線１１２等で接続されている。
【００２１】
図１に登場するネットワーク１１１は例えば、イーサネット（登録商標）等によるＬＡＮであり、図１に登場する印刷機器１２１やクライアントＰＣ１２２や中継用サーバ１２３は例えば、イーサネット（登録商標）カード等のＬＡＮインタフェースを備える。
【００２２】
図１に登場する印刷機器１２１の具体例としては、プリンタ、コピー、ファクシミリ、複合機、融合機等が挙げられる。複合機や融合機は、１台の機器でプリンタとコピーとファクシミリとスキャナとしての機能を実現した機器である。
【００２３】
図１に登場するクライアントＰＣ１２２は例えば、印刷機器１２１のプリンタ機能に係るプリンタドライバがインストールされたパーソナルコンピュータである。図１に登場する中継用サーバ１２３は例えば、後述する中継処理用のソフトウェアがインストールされたサーバコンピュータである。図１に登場する印刷ログ管理用サーバ１２４は例えば、後述する印刷ログ管理処理用のソフトウェアがインストールされたサーバコンピュータである。
【００２４】
図１の大規模印刷システム１０１での管理対象であるユーザが、クライアントＰＣ１２２から印刷機器１２１に印刷処理を要求すると、その印刷ログ（誰が、何を、何に、何枚、どのように印刷したかといった、印刷処理時の印刷量や印刷条件に係る情報）が、クライアントＰＣ１２２（印刷機器１２１でもよい）から中継用サーバ１２３に転送される。同様に、図１の大規模印刷システム１０１での管理対象となるユーザが、印刷機器１２１でコピー機能やファクシミリ機能を利用した場合にも、その印刷ログが、印刷機器１２１やそのカードリーダ等から中継用サーバ１２３に転送される。なお、この段落内で説明した内容は、同一のネットワーク１１１内でやり取りされる処理に係るものである。
【００２５】
中継用サーバ１２３は、自己が接続されているネットワーク１１１内における印刷ログを蓄積し、印刷ログ管理用サーバ１２４から印刷ログの転送処理が要求された場合には、蓄積しておいた印刷ログを印刷ログ管理用サーバ１２４に転送する。これが、中継用サーバ１２３による中継処理である。
【００２６】
なお、本発明は、図１のような大規模印刷システム１０１に適用できるだけではなく、図２のような印刷システム１０２にも適用できる。図２の印刷システム１０２は、ネットワーク１１１により構成され、当該ネットワーク１１１には、印刷機器１２１（添字１〜Ｍは区別の便宜上使用）やそのクライアントＰＣ（パーソナルコンピュータ）１２２（添字１〜Ｎは区別の便宜上使用）が接続されている。当該ネットワーク１１１にはさらに、印刷ログ管理用サーバ１２４が接続されている。
【００２７】
（第１実施例）
図１の印刷ログ管理用サーバ１２４に係る第１実施例について、図３のフローチャートに基づいて説明する。
【００２８】
まず、印刷ログ管理用サーバ１２４は、中継用サーバ１２３を通じて、図１の大規模印刷システム１０１での管理対象である印刷機器１２１及びクライアントＰＣ１２２から印刷ログを収集（Ｓ１１）する。収集方法は、印刷ログ管理用サーバ１２４が、印刷機器１２１やクライアントＰＣ１２２から印刷ログを引き取る「ＰＵＬＬ型」でも、印刷機器１２１やクライアントＰＣ１２２が、印刷ログ管理用サーバ１２４に印刷ログを転送する「ＰＵＳＨ型」でもよい。
【００２９】
続いて、印刷ログ管理用サーバ１２４は、上記の収集方法により収集した印刷ログを、内蔵する記憶装置（ハードディスクドライブやフラッシュメモリ等）の記憶領域に蓄積（Ｓ１２）して管理する。図４は、印刷ログ管理用サーバ１２４に蓄積された印刷ログの例を表す。図４の各印刷ログは、１回１回の印刷処理時の印刷量や印刷条件を保持しており、１回１回の印刷処理の履歴に相当するものである。これらの印刷ログは、図１の大規模印刷システム１０１での管理対象である全印刷機器１２１及び全クライアントＰＣ１２２に関する全印刷ログに相当するため、印刷機器１２１及びクライアントＰＣ１２２の台数が増える程、その量は膨大なものになってしまう。
【００３０】
続いて、印刷ログ管理用サーバ１２４は、蓄積した印刷ログにつき、指定条件に従って印刷ログ同士を併合（マージ）して、複数の印刷ログを併合した併合印刷ログを生成（Ｓ１３）する。ここで、指定条件とは例えば「各ユーザに係る各日の印刷処理に関して、印刷条件『機能』と『紙サイズ』と『カラー』が同じである」といった条件であり、この指定条件はシステムに固定でもユーザが任意に指定可能でもよい。上記の例のように、同一のユーザに係る同一の一定期間内の印刷処理に関し、所定の印刷条件が共通する印刷ログ同士を併合することにする（このように指定条件を固定する、このように指定条件を指定可能にするなど）のが便利だろう。または、同一のユーザに係る印刷処理に関してではなく、同一のユーザグループ（同一の企業、同一の企業部署等）に属するユーザに係る印刷処理に関してでもよいだろう。
【００３１】
図５は、印刷ログ管理用サーバ１２４によって生成された併合印刷ログの例を表す。具体的に言うと、図５の併合印刷ログ「Ａ」は、図４の印刷ログ「１」と「４」と「５」が併合されたものである。図５の「Ａ」の印刷枚数「６０」は、図４の「１」「４」「５」の印刷枚数「１０」「２０」「３０」の総和である。
図５の「Ａ」の機能「Ｐｒｉｎｔ」紙サイズ「Ａ４」カラー「Ｍｏｎｏｃｈｒｏｍｅ」は、図４の「１」「４」「５」の共通の機能「Ｐｒｉｎｔ」紙サイズ「Ａ４」カラー「Ｍｏｎｏｃｈｒｏｍｅ」に由来するものである。同様に、図５の併合印刷ログ「Ｂ」は、図４の印刷ログ「２」と「６」が併合されたものであり、図５の併合印刷ログ「Ｃ」は、図４の印刷ログ「３」と「９」が併合されたものである。
【００３２】
続いて、印刷ログ管理用サーバ１２４は、生成した併合印刷ログを、内蔵する記憶装置（ハードディスクドライブやフラッシュメモリ等）の記憶領域に蓄積（Ｓ１４）して管理する。なお、図５の「Ｄ」「Ｅ」「Ｆ」は、併合相手が存在しなかった印刷ログであり、併合印刷ログと共に管理される。
【００３３】
一般的に、印刷処理時の印刷条件には偏りが大きく、毎回異なる印刷条件で印刷が実行されることよりも、毎回同じ印刷条件（例えば「Ｐｒｉｎｔ、Ａ４、Ｍｏｎｏｃｈｒｏｍｅ、片面印刷、集約なし」といった印刷条件）で印刷が実行されることの方が圧倒的に多い。どのような印刷条件が選択されるかは、ユーザ間では異なることが多いにしても、個々のユーザについて見れば同じであることが多い。このことから、併合印刷ログは、膨大な量の印刷ログと比較して圧倒的に少量になる傾向にある。
【００３４】
Ｓ１１からＳ１４までの処理が繰り返されることにより、印刷ログ管理用サーバ１２４には、併合印刷ログが蓄積されていく。このとき、図４の印刷ログは、保存しておく必要がないのであれば、自動的に削除されるようにしてもよい。例えば、月毎の印刷枚数を保存しておけば、日毎の印刷枚数を保存しておく必要がないのであれば、図４の印刷ログそのものを保存しておく必要はなく、図５の併合印刷ログを保存しておけば（もちろん、併合相手が存在しなかった印刷ログも保存しておく）よい。しかし例えば、ある日時に印刷を行ったユーザを検索するなどの機能が必要なのであれば、図４の印刷ログを保存しておく必要がある。
【００３５】
ここで、図１の印刷ログ管理用サーバ１２４に係る第１実施例について、図６の機能ブロック図に基づいて説明する。印刷ログ管理用サーバ１２４は、図６のように、印刷ログ収集部６０１と、印刷ログ管理部６０２と、併合印刷ログ生成部６０３と、併合印刷ログ管理部６０４と、集計情報生成部６０５と、集計情報出力部６０６等の機能ブロックにより構成される。これらの機能ブロックに係る機能はここでは、印刷ログ管理用サーバ１２４にインストールされた印刷ログ管理処理用のソフトウェア等により実現される。
【００３６】
印刷ログ収集部６０１、印刷ログ管理部６０２、併合印刷ログ生成部６０３、併合印刷ログ管理部６０４はそれぞれ、Ｓ１１、Ｓ１２、Ｓ１３、Ｓ１４の処理を実行する機能ブロックである。すなわち、印刷ログ収集部６０１が印刷ログを収集し、印刷ログ管理部６０２がその印刷ログを蓄積して管理し、併合印刷ログ管理部６０３がその印刷ログを併合（マージ）して併合印刷ログを生成し、併合印刷ログ管理部６０４がその併合印刷ログを蓄積して管理する。
【００３７】
集計情報生成部６０５は、蓄積された併合印刷ログを集計処理に利用し、任意の集計情報を生成する機能ブロックである。例えば「ある企業部署内のある月における片面印刷の総印刷枚数と両面印刷の総印刷枚数」といった集計情報を生成する。
【００３８】
集計情報出力部６０６は、生成された集計情報を出力する機能ブロックである。出力の態様の具体例としては、ディスプレイへの表示やファイルの送信や紙への印刷等が挙げられる。集計情報は、文字で出力してもよいし、図，表，グラフ等で出力してもよい。ディスプレイに表示する場合、印刷ログ管理用サーバ１２４のディスプレイに表示してもよいし、他のＰＣのディスプレイにリモート表示してもよい。後者の場合には例えば、印刷ログ管理用サーバ１２４にＷｅｂサーバソフトをインストールしておいて、上記の集計情報を、他のＰＣのディスプレイでＷｅｂブラウザにより閲覧できるようにする。
【００３９】
上述した集計処理のような解析処理を、図４のような印刷ログを利用して実行すると、その量が膨大なので膨大な時間がかかってしまう。しかし、第１実施例のように、上述した集計処理のような解析処理を、図５のような併合印刷ログを利用して実行すれば、解析処理の負担を軽減することができて、効率的である。このような事情は、上述した集計処理のような解析処理を、図１の印刷ログ管理用サーバ１２４以外で実行する場合にも同様である。
【００４０】
（第２実施例）
図１の印刷ログ管理用サーバ１２４に係る第２実施例について、図７のフローチャートに基づいて説明する。
【００４１】
第２実施例は、第１実施例における図６の集計情報生成部６０５が、集計情報として、印刷機器１２１の利用状況に係る情報（以下「利用状況情報」と呼ぶ）を生成し、集計情報出力部６０６が、この利用状況情報を出力するような実施例である。例えば、図１の大規模印刷システム１０１を構成する印刷機器１２１のユーザ毎や企業部署毎の月毎の印刷枚数を知りたい場合、印刷ログ管理用サーバ１２４の「利用状況情報の生成・出力機能」を利用することができる。
【００４２】
利用状況情報の例としては、ユーザ毎の月毎の「白黒・カラー別」の印刷枚数や、企業部署毎の４半期毎の「印刷機器別」の印刷枚数など、印刷機器１２１の利用状況を様々な角度から提示するような様々な例が挙げられる。利用状況情報の活用例を挙げると、ある月のＡさんの印刷枚数が２０枚で、その月のＢさんの印刷枚数も２０枚であったが、利用状況情報として「片面印刷・両面印刷別」の印刷枚数を調べたら、Ａさんは片面印刷で２０枚で、Ｂさんは両面印刷で２０枚であって、Ａさんの方がＴＣＯ（Ｔｏｔａｌ  Ｃｏｓｔ  ｏｆ  Ｏｗｎｅｒｓｈｉｐ）削減に貢献していることが解った、といった具合である。
【００４３】
ここで、図７に基づいて、印刷ログ管理用サーバ１２４の動作フローについて説明することにする。印刷ログ管理用サーバ１２４は、印刷機器１２１の利用状況情報の生成・出力を要求するような操作が入力（Ｓ２１）されると、蓄積した併合印刷ログを利用し、利用状況情報を生成（Ｓ２２）する。利用状況情報の生成・出力を要求するような操作や、それに先立って、どのような利用状況情報を生成・出力するかを指定するための操作は、例えば、印刷ログ管理用サーバ１２４のディスプレイに表示されるＧＵＩで、印刷ログ管理用サーバ１２４のキーボードやマウスを利用して入力できるようにする。印刷ログ管理用サーバ１２４のクライアント端末から入力できるようにしてもよい。続いて、印刷ログ管理用サーバ１２４は、生成した利用状況情報を出力（Ｓ２３）する。
【００４４】
上述した利用状況情報の生成処理を、図４のような印刷ログを利用して実行すると、その量が膨大なので膨大な時間がかかってしまう。しかし、第２実施例のように、上述した利用状況情報の生成処理を、図５のような併合印刷ログを利用して実行すれば、生成処理の負担を軽減することができて、効率的である。例えば、Ｓ２１の操作からＳ２３の出力までの時間が短縮される。
【００４５】
（第３実施例）
図１の印刷ログ管理用サーバ１２４に係る第３実施例について、図８のフローチャートに基づいて説明する。
【００４６】
第３実施例は、第１実施例における図６の集計情報生成部６０５が、集計情報として、印刷機器１２１の利用に伴う課金に係る情報（以下「課金情報」と呼ぶ）を生成し、集計情報出力部６０６が、この課金情報を出力するような実施例である。例えば、図１の大規模印刷システム１０１を構成する印刷機器１２１のユーザ毎や企業部署毎の月毎の課金金額を知りたい場合、印刷ログ管理用サーバ１２４の「課金情報の生成・出力機能」を利用することができる。
【００４７】
課金情報の例としては、ユーザ毎の月毎の「白黒・カラー別」の課金金額や、企業部署毎の４半期毎の「印刷機器別」の課金金額など、印刷機器１２１の利用に伴う課金状況を様々な角度から提示するような様々な例が挙げられる。
【００４８】
ここで、図８に基づいて、印刷ログ管理用サーバ１２４の動作フローについて説明することにする。印刷ログ管理用サーバ１２４は、印刷機器１２１の課金情報の生成・出力を要求するような操作が入力（Ｓ３１）されると、蓄積した併合印刷ログを利用し、課金情報を生成（Ｓ３２）する。課金情報の生成・出力を要求するような操作や、それに先立って、どのような課金情報を生成・出力するかを指定するための操作は、例えば、印刷ログ管理用サーバ１２４のディスプレイに表示されるＧＵＩで、印刷ログ管理用サーバ１２４のキーボードやマウスを利用して入力できるようにする。印刷ログ管理用サーバ１２４のクライアント端末から入力できるようにしてもよい。続いて、印刷ログ管理用サーバ１２４は、生成した課金情報を出力（Ｓ３３）する。
【００４９】
上述した課金情報の生成処理を、図４のような印刷ログを利用して実行すると、その量が膨大なので膨大な時間がかかってしまう。しかし、第３実施例のように、上述した課金情報の生成処理を、図５のような併合印刷ログを利用して実行すれば、生成処理の負担を軽減することができて、効率的である。例えば、Ｓ３１の操作からＳ３３の出力までの時間が短縮される。印刷機器１２１のビジネスでは課金の管理が重要視されるところ、第３実施例には、課金の管理が効率化されるという利点がある。
【００５０】
（変形例）
図１の印刷ログ管理用サーバ１２４は、本発明に係る「情報管理装置」の実施の形態の例であり、図１の印刷ログ管理用サーバ１２４により実行される情報管理は、本発明に係る「情報管理方法」の実施の形態の例である。
【００５１】
図１の印刷ログ管理用サーバ１２４にインストールされている印刷ログ管理処理用のソフトウェアは、本発明に係る「情報管理プログラム」の実施の形態の例であり、図１の印刷ログ管理用サーバ１２４にインストールされている印刷ログ管理処理用のソフトウェアが記録されたＣＤ−ＲＯＭ等のコンピュータ読取可能な記録媒体は、本発明に係る「記録媒体」の実施の形態の例である。
【００５２】
【発明の効果】
このように、本発明は、印刷装置に係る印刷ログを管理する情報管理装置等に関して、印刷ログの解析処理の負担を軽減することを可能にする。
【図面の簡単な説明】
【図１】本発明に係る大規模印刷システムを表す。
【図２】本発明に係る印刷システムを表す。
【図３】第１実施例について説明するためのフローチャートである。
【図４】印刷ログの例を表す。
【図５】併合印刷ログの例を表す。
【図６】第１実施例について説明するための機能ブロック図である。
【図７】第２実施例について説明するためのフローチャートである。
【図８】第３実施例について説明するためのフローチャートである。
【符号の説明】
１０１  大規模印刷システム
１０２  印刷システム
１１１  ネットワーク
１１２  電話回線
１２１  印刷機器
１２２  クライアントＰＣ
１２３  中継用サーバ
１２４  印刷ログ管理用サーバ
６０１  印刷ログ収集部
６０２  印刷ログ管理部
６０３  併合印刷ログ生成部
６０４  併合印刷ログ管理部
６０５  集計情報生成部
６０６  集計情報出力部
【図１】
2005038106.tif 000003
【図２】
2005038106.tif 000004
【図３】
2005038106.tif 000005
【図４】
2005038106.tif 000006
【図５】
2005038106.tif 000007
【図６】
2005038106.tif 000008
【図７】
2005038106.tif 000009
【図８】
2005038106.tif 000010